(57)【要約】      （修正有）【課題】吐出容器において、吐出口の手前に設けた一つの部材により、内容液の流動を規制すると共に、その流線を折り曲げることにより、吐出操作当初の内容液の飛散を防止すると共に、製造経費の低減化を図る。【解決手段】吐出口の手前に流動規制体２２を設け、この流動規制体２２を、内容液の吐出流路を遮断する２枚の規制板２３、２５を、連結板２７により間隔を開けて一体に連結し、この２枚の規制板２３、２５のそれぞれに通路孔２４、２６を、上下方向に重ならないように開設して構成し、この流動規制体２２を通過する内容液の流動線Ｒが折れ曲がったものとすることにより、内容液の吐出に対して規制力を作用させるようにした。【選択図】図２
2014166878.tif 000002
【特許請求の範囲】
【請求項１】
胴部（２）の上端に口筒部（３）を設けた容器体（１）と、前記口筒部（３）に密に外装組付きして吐出口を形成するキャップ本体（６）に、前記吐出口を開閉する開閉キャップ体（１８）を着脱自在に組付けたキャップ体（５）と、前記キャップ本体（６）内に装着される流動規制体（２２）とからなり、前記流動規制体（２２）は、前記キャップ本体（６）内を遮断する第１規制板（２３）と第２規制板（２５）を、連結板（２７）により間隔（Ｋ）を開けて一体に結合し、前記第１規制板（２３）に第１通路孔（２４）を、前記第２規制板（２５）に第２通路孔（２６）をそれぞれ開設して、前記第１通路孔（２４）から間隔（Ｋ）を通って第２通路孔（２６）に至る流通路を形成し、前記第１通路孔（２４）と第２通路孔（２６）を上下に重ならない位置に開設したことを特徴とする吐出容器。
【請求項２】
容器体（１）の胴部（２）に、スクイズ性を付与した請求項１に記載の吐出容器。
【請求項３】
第１規制板（２３）および第２規制板（２５）の中央を横断する構成で連結板（２７）を設け、該連結板（２７）を境として一方側に第１通路孔（２４）を、他方側に第２通路孔（２６）を配置し、前記連結板（２７）に連通孔（２８）を開設して流動規制体（２２）を構成した請求項１または２に記載の吐出容器。
【請求項４】
第１通路孔（２４）および第２通路孔（２６）を、連通孔（２８）の開孔方向に対して斜めに位置させた請求項３に記載の吐出容器。
【請求項５】
第１通路孔（２４）および第２通路孔（２６）のそれぞれを、第１規制板（２３）および第２規制板（２５）の反対側周端部に位置させた請求項１〜４に記載の吐出容器。
【請求項６】
間隔（Ｋ）の側方開放部の一部に副連結板（２７ａ）を一体設して流動規制体（２２）を構成した請求項１〜５に記載の吐出容器。
【請求項７】
キャップ本体（６）の装着筒片（１４）の上端に内フランジ状の内鍔壁片（１６）を介して細長筒片状の吐出筒片（１７）を起立設し、前記流動規制体（２２）の第２規制板（２５）の上面に、前記流動規制体（２２）を装着筒片（１４）に装着した際に、前記内鍔壁片（１６）に下方から突き当たる複数の突き当たり片（２９）を、第２通路孔（２６）を避けて突設した請求項１〜６に記載の吐出容器。
【発明の詳細な説明】
【技術分野】
【０００１】
本発明は、上部に口筒部を有する容器体と、この容器体の口筒部に組付き、上端に吐出口を形成したキャップ体と、このキャップ体内に装着されて、吐出される内容液の流動を規制する流動規制体とからなる吐出容器に関するものである。
【背景技術】
【０００２】
容器体の口筒部上に、上端に吐出口を開設したノズルを設け、このノズルの内周部に外周部を密接した棒状栓体を、ノズルの吐出口側へ付勢させて装着した栓部材を備え、棒状栓体外周部とノズル内周部との密接部分に棒状栓体の上下を連通する液流路を設けた吐出容器が提案されている（例えば、特許文献１参照）。
【０００３】
特許文献１に示された吐出容器においては、例えば、容器体の胴部を押圧することにより内容液を加圧して、液流路を介して吐出口より吐出する。胴部の押圧を解除するとその弾性復元力により容器体内が負圧化し、棒状栓体が付勢力に打ち勝って容器体内方へ引き込まれ、その外周に形成された隙間より置換空気が導入される。
【先行技術文献】
【特許文献】
【０００４】
【特許文献１】特開２００４−３３１１０３号公報
【発明の概要】
【発明が解決しようとする課題】
【０００５】
この特許文献１に記載された従来技術にあっては、吐出される内容液に対して所望する規制力を精度良く確実に作用させ、これにより安定して円滑な吐出動作を得ることができるのであるが、棒状栓体の上下を連通する液流路が、容器体内から吐出口への吐出方向に沿っているので、内容液の粘度が低いと、吐出操作当初に内容液の一部が飛散状に吐出する場合が稀にあり、また基本的にはリーク機能を有する可動構造の逆止弁を設けた構成であるので、構成部分の成形および組み立てに高い精度を要することになり、このため製造経費が高くなる傾向あり、これらの点の改良が望まれていた。
【０００６】
そこで、本発明は、上記した従来技術における要望に答えるべく創案されたもので、吐出口の手前に設けた一つの部材により、内容液の流動を規制すると共に、その流線を折り曲げることを技術的課題とし、もって吐出操作当初の内容液の飛散を防止すると共に、製造経費の低減化を目的とするものである。
【課題を解決するための手段】
【０００７】
上記課題を解決する本発明の手段の主たる構成は、
胴部の上端に口筒部を設けた容器体と、容器体の口筒部に密に外装組付きして吐出口を形成するキャップ本体に、吐出口を開閉する開閉キャップ体を着脱自在に組付けたキャップ体と、キャップ本体内に装着される流動規制体とを有すること、
流動規制体は、キャップ本体内を遮断する第１規制板と第２規制板を、連結板により間隔を開けて一体に結合し、第１規制板に第１通路孔を、第２規制板に第２通路孔をそれぞれ開設して、第１通路孔から間隔を通って第２通路孔に至る流通路を形成し、第１通路孔と第２通路孔を上下に重ならない位置に開設したこと、
にある。
【０００８】
キャップ体内に装着された流動規制体は、容器体内と吐出口の間に位置することになり、吐出される内容液は必ずこの流動規制体を通過することになる。この流動規制体は、第１規制板と第２規制板と連結板からなる一体成形物であり、第１通路孔から間隔を通って第２通路孔に至る流通路は、第１通路孔と第２通路孔が上下に重ならない位置に開設されていることから、クランク状に折れ曲がった通路となる。
【０００９】
このため、内容液の吐出操作の当初に、容器体側から内容液が吐出口に向かって勢い良く流動しても、流動規制体が形成する折れ曲がった流通路を通過することにより、その勢いおよび通過流量が規制されて、吐出口から飛散状に吐出されることはない。
【００１０】
また、内容液に対する流動規制体の規制力は、流路を形成する両通路孔の開口径と間隔の寸法により決めることができるので、正確な設定が可能となる。
【００１１】
さらに、流動規制体は、一対の規制板を、間隔を開けて連結板で連結しただけの簡単な構造で、可動部分のない一体成形物であるので、その構造および装着などの取り扱いが簡単である。
【００１２】
本発明の別の構成は、上記した主たる構成に、容器体の胴部に、スクイズ性を付与した、ことを加えたものである。
【００１３】
容器体の胴部に、スクイズ性を付与したものにあっては、胴部に対する指先によるスクイズ操作により、内容液の吐出量を制御することが可能となる。特に、内容液に対する流動規制体の規制力を高めた場合には、この流動規制体が止め弁的に機能するので、スクイズ操作により流動規制体に対する内容液の通過を半強制的に行うことができ、この時、スクイズ操作力を加減することにより、内容液の吐出量も加減することができるのである。この作用は、粘度の低い内容液の吐出にはきわめて有効である。
【００１４】
また、本発明の別の構成は、上記した主たる構成に、第１規制板および第２規制板の中央を横断する構成で連結板を設け、この連結板を境として一方側に第１通路孔を、他方側に第２通路孔を配置し、連結板に連通孔を開設して流動規制体を構成した、ことを加えたものである。
【００１５】
連結板を境として一方側に第１通路孔を、他方側に第２通路孔を配置し、連結板に連通孔を開設して流動規制体を構成したものにあっては、機械的強度が安定して大きい流動規制体を得ることができると共に、連結板にも流動規制作用を発揮させることになる。
【００１６】
また、本発明の別の構成は、上記した主たる構成に対して、連通孔を開設した連結板を加えた構成に、第１通路孔および第２通路孔を、連通孔の開孔方向に対して斜めに位置させたことを、加えたものである。
【００１７】
第１通路孔および第２通路孔を、連通孔の開孔方向に対して斜めに位置させたものにあっては、流動規制体を通過する内容液の流動線が、連通孔を通過する際に折れ曲がる状態となり、その分、規制作用が高められる。
【００１８】
また、本発明の別の構成は、上記した主たる構成に、第１通路孔および第２通路孔のそれぞれを、第１規制板および第２規制板の反対側周端部に位置させたことを、加えたものである。
【００１９】
第１通路孔および第２通路孔を、第１規制板および第２規制板の反対側周端部に位置させたものにあっては、第１通路孔と第２通路孔の距離が大きくなり、その分、流動規制体における内容液の流路長が長くなる。
【００２０】
また、本発明の別の構成は、上記した主たる構成に、間隔の側方開放部の一部に副連結板を一体設して流動規制体を構成したことを、加えたものである。
【００２１】
流動規制体に副連結板を一体設したものにあっては、間隔に対する物品、例えば組み立て時等における他の流動規制体の規制板が、カジリ状に侵入するのを阻止することができる。
【００２２】
また、本発明の別の構成は、上記した主たる構成に、キャップ本体の装着筒片の上端に内フランジ状の内鍔壁片を介して細長筒片状の吐出筒片を起立設し、流動規制体の第２規制板の上面に、流動規制体を装着筒片に装着した際に、内鍔壁片に下方から突き当たる複数の突き当たり片を、第２通路孔を避けて突設した、ことを加えたものである。
【００２３】
キャップ本体に内鍔壁片を設け、流動規制体の第２規制板の上面に、内鍔壁片に突き当たる突き当たり片を設けたものにあっては、キャップ本体の装着筒片に対して流動規制体装着した状態で、突き当たり片の内鍔壁片に対する突き当たりにより、流動規制体と内鍔壁片の間に間隔が形成され、これが流路となるので、第２通路孔の開口状況が、内鍔壁片により不良となることがない。
【発明の効果】
【００２４】
本発明は、上記した構成となっているので、以下に示す効果を奏する。
本発明における吐出容器の主たる構成においては、内容液を吐出口から飛散状に吐出させることがないので、内容液の吐出を安全にかつ良好に行うことができ、好ましい使用状況を得ることができる。
【００２５】
また、流動規制体は、簡単な構造で、可動部分のない一体成形物であるので、その構造および装着などの取り扱いが簡単であるので、容器全体の製造経費の低減化を得ることができる。
【００２６】
容器体の胴部に、スクイズ性を付与したものにあっては、内容液の吐出量を制御することができるので、内容液の適量吐出を簡単に達成でき、特に粘度の低い内容液の適量吐出を簡単に精度よく行うことができる。
【００２７】
連結板を境として一方側に第１通路孔を、他方側に第２通路孔を配置し、連結板に連通孔を開設して流動規制体を構成したものにあっては、機械的強度が安定して大きい流動規制体を得ることができると共に、連結板にも流動規制作用を発揮させることになるので、流動規制体を、取り扱いが容易で流動規制力の大きいものとすることができる。
【００２８】
第１通路孔および第２通路孔を、連通孔の開孔方向に対して斜めに位置させたものにあっては、規制作用が高められるので、規制強度の設定が容易となる。
【００２９】
第１通路孔および第２通路孔を、第１規制板および第２規制板の反対側周端部に位置させたものにあっては、流動規制体における内容液の流路長が長くなるので、その分、通過する内容液に対する規制作用を高めることができる。
【００３０】
流動規制体に副連結板を一体設したものにあっては、例えば多数の流動規制体を一緒に取り扱う組み立て時に、間隔に対する他の流動規制体の規制板がカジリ状に侵入するのを阻止することができるので、多数の流動規制体をまとめて取り扱う際の取り扱いが容易となる。
【００３１】
キャップ本体に内鍔壁片を設け、流動規制体の第２規制板の上面に、内鍔壁片に突き当たる突き当たり片を設けたものにあっては、第２通路孔な開口状況が、内鍔壁片により不良となることがないので、効率の良い組立処理を得ることができる。
【図面の簡単な説明】
【００３２】
【図１】本発明の実施形態例を示す、要部を半縦断した全体図である。
【図２】図１に示した実施形態例の、要部拡大縦断面図である。
【図３】図１に示した実施形態例における流動規制体の構造を示すもので、（ａ）は平面図、（ｂ）は（ａ）中、Ａ−Ａ線に沿って切断した断面図、（ｃ）は（ａ）中、Ｂ方向から見た側面図である。
【図４】流動規制体の他の実施例を示す、平面図である。
【図５】流動規制体のさらに他の実施例を示す、平面図である。
【発明を実施するための形態】
【００３３】
以下、本発明の実施形態例を、図１〜図３を参照しながら説明する。
なお、本実施形態例では、容器体１に対してキャップ体５が位置する側を上方とし、その反対側（図１における下側）を下方とする。
【００３４】
図１において、１は容器体、５はキャップ体で、６はそのキャップ本体、１８はその開閉キャップ体、２２は流動規制体である。容器体１は、有底筒状をし、スクイズ性を付与された胴部２の上端に、上方に縮径して立ち上がる肩部を介して円筒状の口筒部３を起立状に連設して構成され、可撓性を有する合成樹脂で成形されている。口筒部３は、ネックリングの上位となる外周面部分に、係止突条４（図２参照）を突周設している。この容器体１には、化粧水、調味料、洗剤等の内容液が収容されている。
【００３５】
キャップ体５（図２参照）は、口筒部３に密に組付くキャップ本体６と、このキャップ本体６が形成する吐出口を開閉する開閉キャップ体１８とから構成されている。キャップ本体６は、口筒部３に組付く組付き筒部７と、取付け筒部１２と、吐出筒片１７とから構成されている。
【００３６】
組付き筒部７は、下部のスカート筒片８と、その上の嵌合筒片１０と、この嵌合筒片１０の上端から内フランジ状に設けられた頂壁片１１とを有している。スカート筒片８は、その内周面に、口筒部３の係止突条４に上方から乗り越えてアンダーカット結合する係止周条９を内周面に設けている。嵌合筒片１０は、口筒部３に空転不能に外装組付きすべく、図示省略したが、縦キーと縦キー溝の組み合わせ構造が、口筒部３との間に設けられている。この縦キーと縦キー溝の組み合わせ構造は、キャップ本体６に対する開閉キャップ体１８の螺合着脱操作の際に、キャップ本体６が開閉キャップ体１８と共回りしないようにするためのものである。頂壁片１１は、容器体１の口筒部３の上端面に密に当接して、組付き限界位置を設定しており、その下面からは、口筒部３の開口部に密嵌入するシール筒片が垂下状に設けられている。
【００３７】
取付け筒部１２は、下位の螺着筒片１３と、その上の装着筒片１４と、この装着筒片１４の上端から内フランジ状に設けられた内鍔壁片１６を有している。螺着筒片１３は、その外周面に、開閉キャップ体１８を着脱可能に螺合させるネジを刻設している。装着筒片１４は、内周面下端に、流動規制体２２を係止保持する係止環条１５を突周設している。内鍔壁片１６は、リング円板状をし、内周端縁部から吐出筒片１７を起立連設している。
【００３８】
吐出筒片１７は、細長筒状に成形され、その上端開口部を吐出口としており、この吐出口の外周縁には、液切れを良くするために、ラッパ状に拡がった口鍔片が設けられている。
【００３９】
開閉キャップ体１８（図２参照）は、内周面下部に、螺着筒片１３のネジに着脱可能に螺合するネジを刻設した周壁１９の上端に、天壁２０を連設した有頂円筒形状をしている。天壁２０の下面中央には、開閉キャップ体１８がキャップ本体６に螺着された状態で、吐出筒片１７が形成する吐出口に密嵌入して、容器を密閉状態とする栓片２１が垂下状に設けられている。
【００４０】
流動規制体２２（図２および図３参照）は、上下一対の第１規制板２３および第２規制板２５と、この第１規制板２３と第２規制板２５を、間隔Ｋ（図３（ｂ），（ｃ）参照）を開けて一体に結合する連結板２７と、第２規制板２５の上面に複数突設された突き当たり片２９とから構成されている。
【００４１】
第１規制板２３および第２規制板２５は、円板形状（図３（ａ）参照）をしており、流動規制体２２が装着筒片１４内に装着された状態で、この装着筒片１４内を上下に遮断するものである。この第１規制板２３および第２規制板２５を連結して結合する連結板２７は、第１規制板２３および第２規制板２５の中央を横断して位置して（図３（ａ）参照）いる。
【００４２】
第１規制板２３に開設された第１通路孔２４と、第２規制板２５に開設された第２通路孔２６は、連結板２７を境にして、平面的に略対称に配置（図３（ａ）、（ｂ）参照）されている。連結板２７の中央には、連通孔２８が開設されており、この連通孔２８により、容器体１内から、第１通路孔２４→間隔Ｋ→連通孔２８→間隔Ｋ→第２通路孔２６そして吐出筒片１７の吐出口に至る、吐出される内容液の折れ曲がった流動線Ｒ（図２参照）が得られることになる。この流動規制体２２にあっては、第１通路孔２４、間隔Ｋ、第２通路孔２６の寸法により、通過する内容液に対する規制力を略正確に設定することができる。
【００４３】
突き当たり片２９は、流動規制体２２が、その第１規制板２３を係止環条１５に係止させて装着筒片１４内に装着された状態で、内鍔壁片１６に突き当たるもの（図２参照）で、この突き当たりにより流動規制体２２の装着筒片１４に対する組付きを、ガタ付きのないものとしている。また、この突き当たり片２９は、第２通路孔２６を避けた箇所に複数（図３（ａ）図示実施例の場合、４つ）設けられている。そして、この突き当たり片２９は、内鍔壁片１６への突き当たりにより、内鍔壁片１６と第２規制板２５との間に、その突出高さ分だけの間隔を形成する。このため、例え、第２通路孔２６が内鍔壁片１６の直下に位置しても、この第２通路孔２６が内鍔壁片１６により塞がれることはない。さらに、突き当たり片２９を設けることにより、流動規制体２２の姿勢の上下関係が明確となり、これにより流動規制体２２の組み立て時等の取り扱いがし易いものとなる。
【００４４】
図４は、流動規制体２２の他の実施例を示すもので、第１通路孔２４および第２通路孔２６を、連通孔２８の開孔方向に対して斜めに位置させると共に、第１規制板２３および第２規制板２５の反対側周端部に位置させたものである。この実施例にあっては、内容液の流動線Ｒが連通孔２８を通過する際に、折れ曲がること、および第１通路孔２４と第２通路孔２６の距離が大きくなることにより、大きな規制作用を発揮するものとなる。
【００４５】
図５は、流動規制体２２のさらに他の実施例を示すもので、間隔Ｋの側方開放部の一部に副連結板２７ａを一体設したもので、この副連結板２７ａが間隔Ｋの側方開放部の一部に位置することにより、他の物品、例えば他の流動規制体２２の規制板が間隔Ｋにカジリ状に侵入するのを防止する。副規制板２７ａは、連結板２７に対して、両側に略直交した姿勢で、中央に近い位置に設けられている。この副連結板２７ａは、間隔Ｋを埋めて第１規制板２３と第２規制板２５を結合するので、間隔Ｋを有する流動規制体２２の機械的強度を高めている。
【００４６】
次に、内容液の吐出動作を説明する。容器を倒立すると、内容液が自重により容器体１からキャップ体６に勢い良く流下する。この勢い良く流下した内容液は、流動規制体２２の第１規制板２３に当たり、第１通路孔２４を通って流動線Ｒで示した流路を通って吐出口に到達するが、流動規制体２２の流動規制作用により勢いがなくなる。このため、吐出当初の内容液の飛散が確実に阻止される。
【００４７】
また、通過する内容液に対する流動規制体２２の規制力を大きくすると、流動規制体２２は止め弁的に機能するので、この状態で、胴部２をスクイズ変形させると、この胴部２のスクイズ操作に伴う圧力作用に従って内容液の吐出の制御が可能となる。内容液の粘度が低い場合には、胴部２のスクイズ変形に大きな操作力を要することがないので、特に有効である。
【００４８】
以上、実施形態例に沿って本発明の構成とその作用効果について説明したが、本発明の実施の形態は上記実施形態例に限定されるものではない。例えば、連通孔２８は連結板２７に開設された構造となっているが、連結板２７を複数に分割し、連結板２７の間の間隔Ｋを通して、第１通路孔２４と第２通路孔２６を連通させることができる。また、第１通路孔２４と第２通路孔２６は、連結板２７を境にして略対称に配置されているが、非対称とするとか、連結板２７に関係なく配置することも可能である。さらに、口筒部３に対するキャップ本体６の組付き構成、およびキャップ本体６に対する開閉キャップ１８の組付き構成は、その構成を入れ換えても、何れか一方に統一することも可能である。
【産業上の利用可能性】
【００４９】
本発明の吐出容器は、吐出される内容液の流動線を折れ曲がったものとすることにより、吐出される内容液に流動規制力を作用させて、内容液の勢いの良い吐出を防止して、内容液を安全に吐出させることができ、吐出容器として広い分野での適用が可能とすることができる。
【符号の説明】
【００５０】
１    ；容器体
２    ；胴部
３    ；口筒部
４    ；係止突条
５    ；キャップ体
６    ；キャップ本体
７    ；組付き筒部
８    ；スカート筒片
９    ；係止周条
１０  ；嵌合筒片
１１  ；頂壁片
１２  ；取付け筒部
１３  ；螺着筒片
１４  ；装着筒片
１５  ；係止環条
１６  ；内鍔壁片
１７  ；吐出筒片
１８  ；開閉キャップ体
１９  ；周壁
２０  ；天壁
２１  ；栓片
２２  ；流動規制体
２３  ；第１規制板
２４  ；第１通路孔
２５  ；第２規制板
２６  ；第２通路孔
２７  ；連結板
２７ａ；副連結板
２８  ；連通孔
２９  ；突き当たり片
Ｋ    ；間隔
Ｒ    ；流動線
【図１】
2014166878.tif 000003
【図２】
2014166878.tif 000004
【図３】
2014166878.tif 000005
【図４】
2014166878.tif 000006
【図５】
2014166878.tif 000007